【手続補正書】
【提出日】平成19年7月18日(2007.7.18)
【手続補正１】
【補正対象書類名】特許請求の範囲
【補正対象項目名】全文
【補正方法】変更
【補正の内容】
【特許請求の範囲】
【請求項１】
送り込まれたシートが積載される積載手段と、
前記積載手段に積載されたシートを移動させる移動手段と、
前記移動手段によって移動するシートの端部を受け止めるストッパ手段と、
前記移動手段よりもシート移動方向の上流側でシートに接触してシートの移動に負荷を加える負荷付与手段と、を備え、
前記移動手段が、前記負荷付与手段によって負荷を加えられたシートを前記ストッパ手段に移動して当接させることを特徴とするシート処理装置。
【請求項２】
前記負荷付与手段が、シートを移動させることが可能で、かつ前記負荷付与手段のシート移動力が、前記移動手段のシート移動力よりも小さく設定されていることを特徴とする請求項１に記載のシート処理装置。
【請求項３】
前記移動手段と前記負荷付与手段との間にシートの移動方向に沿った側端を整合する側端整合手段を備えたことを特徴とする請求項１又は２に記載のシート処理装置。
【請求項４】
前記積載手段の前記移動手段によるシート移動方向上流側にシートの厚み方向に湾曲してシートを案内する湾曲案内路を備えたことを特徴とする請求項１乃至３のいずれか１項に記載のシート処理装置。
【請求項５】
前記積載手段は平坦なシート積載面を有し、前記シート積載面近傍に前記移動手段が配設され、前記シート積載面に積載されたシートを綴じる綴じ手段を備えたことを特徴とする請求項１乃至４のいずれか１項に記載のシート処理装置。
【請求項６】
前記ストッパ手段が、シートの端部を押してシートを移動させることを特徴とする請求項５に記載のシート処理装置。
【請求項７】
前記負荷付与手段が、前記シート積載面の前記移動手段のシート移動方向上流側端部近傍に配設されていることを特徴と請求項５又は６に記載のシート処理装置。
【請求項８】
前記綴じ手段が、前記移動手段のシート移動方向の下流側でシートの端部を綴じる端部綴じ手段であることを特徴とする請求項５に記載のシート処理装置。
【請求項９】
前記綴じ手段が、前記移動手段と前記負荷付与手段との間でシートの中間部を綴じる中間部綴じ手段であることを特徴とする請求項５に記載のシート処理装置。
【請求項１０】
前記中間部綴じ手段が、前記移動手段が前記負荷付与手段によって負荷を加えられて前記ストッパ手段に当接させているシートを綴じることを特徴とする請求項９に記載のシート処理装置。
【請求項１１】
前記負荷付与手段が、前記積載手段に送り込まれてきたシートを、前記送り込まれてきた方向に一旦移動させた後、前記移動手段に移動させ、その後、再度、前記送り込まれてきた方向に移動可能であることを特徴とする請求項１乃至１０のいずれか１項に記載のシート処理装置。
【請求項１２】
前記中間部綴じ手段によって綴じられたシートを前記湾曲案内路の中間部で折る折り手段を備えたことを特徴とする請求項９又は１０に記載のシート処理装置。
【請求項１３】
前記折り手段が、前記湾曲案内路を湾曲の内側から外側に貫通してシートを厚み方向に突く突き部材と、前記突き部材によって突かれてシートを受け入れて折り畳む折り部とを備えたことを特徴とする請求項１２に記載のシート処理装置。
【請求項１４】
前記移動手段が、シートを積載手段に押し付けて回転してシートを移動させる回転体を有していることを特徴とする請求項１乃至１１のいずれか１項に記載のシート処理装置。
【請求項１５】
前記負荷付与手段が、シートを両面から挟持して回転可能な回転体対を有していることを特徴とする請求項１乃至１１のいずれか１項に記載のシート処理装置。
【請求項１６】
シートに画像を形成する画像形成手段と、
画像を形成されたシートに処理を施すシート処理装置と、を備え、
前記シート処理装置が、請求項１乃至１５のいずれか１項に記載のシート処理装置であることを特徴とする画像形成装置。
【請求項１７】
前記シート処理装置が、前記画像形成手段の上部に備えられたことを特徴とする請求項１６に記載の画像形成装置。
【請求項１８】
原稿の画像を読み取る読取手段と、
前記読取手段の下方に配設されて前記読取手段により読み取られた画像情報に基づいてシートに画像を形成する画像形成手段と、
前記読取手段と前記画像形成手段との間に配設されて画像を形成された前記シートに処理を施すシート処理装置と、を備え、
前記シート処理装置が、請求項１乃至１５のいずれか１項に記載のシート処理装置であることを特徴とする画像形成装置。
【手続補正２】
【補正対象書類名】明細書
【補正対象項目名】００１０
【補正方法】変更
【補正の内容】
【００１０】
上記目的を達成するため、本発明のシート処理装置は、送り込まれたシートが積載される積載手段と、前記積載手段に積載されたシートを移動させる移動手段と、前記移動手段によって移動するシートの端部を受け止めるストッパ手段と、前記移動手段よりもシート移動方向の上流側でシートに接触してシートの移動に負荷を加える負荷付与手段と、を備え、前記移動手段が、前記負荷付与手段によって負荷を加えられたシートを前記ストッパ手段に移動して当接させるようになっている。
【手続補正３】
【補正対象書類名】明細書
【補正対象項目名】００２４
【補正方法】変更
【補正の内容】
【００２４】
このため、シート処理装置１は、端部ステイプラ１０によって綴じ処理されたシート束、又は綴じ処理されないシート束を案内する直線パス４５と、中間部ステイプラ１１によって綴じ処理されたシート束を折り装置７５に案内する湾曲した湾曲案内路としての湾曲パス４４とを備えている。湾曲パス４４は、直線パス４５から分岐して、直線パス４５から離れる方向に湾曲している。本実施形態の湾曲パス４４は、上方に湾曲しているが下方に湾曲していてもよい。すなわち、湾曲パス４４は、シートの厚み方向に湾曲していればよい。折り手段としての折り装置７５は、突き部材としてのシート突き板７２と、折り部としてのシート折りローラ対７３等を備えている。
【手続補正４】
【補正対象書類名】明細書
【補正対象項目名】００３３
【補正方法】変更
【補正の内容】
【００３３】
すると、排出ローラ対７４が、閉じて、シート束を挟み、シート束をスタックトレイ４に排出する（図５、図６（Ｓ１０７））。このとき、シート束の排出の邪魔にならないように、アーム６３を上方に傾動させて、戻しベルトプーリ６４によって、戻しベルト６０を内側から上方に引き上げてシート束から離す。
【手続補正５】
【補正対象書類名】明細書
【補正対象項目名】００４３
【補正方法】変更
【補正の内容】
【００４３】
しかし、本実施形態のシート処理装置１は、搬送補助ローラ５０を有しているので、仮に、シートに座屈が生じたり、シートが湾曲パス４４に確実に進入できないことがあったりしても、搬送補助ローラ５０と戻しベルト６０との間で、処理トレイ４０の平坦なシート積載面４０ａに位置しているシートの部分を引っ張って、たるみが生じないようにしているので、シートの整合性の確保と、シート束を綴じるときのズレを防止することができる。本実施形態のシート処理装置１は、湾曲パス４４が上方に湾曲しているが、下方に湾曲していても、同様にシートの整合性の確保と、シート束を綴じるときのズレを防止することができる。
【手続補正６】
【補正対象書類名】明細書
【補正対象項目名】００４７
【補正方法】変更
【補正の内容】
【００４７】
綴じられたシート束は、シート束Ｓのステイプル位置がシート折りローラ対７３のニップと対向するように、不図示の駆動モータにより移動する後端ストッパ６２によって湾曲パス４４に押されていく(図１１（Ｓ２０６）)。このとき、シート束の排出の邪魔にならないように、アーム６３を上方に傾動させて、戻しベルトプーリ６４によって、戻しベルト６０を内側から上方に引き上げてシート束から離す。また、搬送補助ローラ５０も回転してシート束の搬送を助ける。シート束Ｓの中央部の針綴じ部がシート突き板７２によって突かれる位置まで移動すると、搬送補助ローラ５０と後端ストッパ６２とによるシート束の搬送が停止される。
【手続補正７】
【補正対象書類名】明細書
【補正対象項目名】００６２
【補正方法】変更
【補正の内容】
【００６２】
ステイプルソート処理の場合、所定の枚数のシートが処理トレイ４０に積載されると、後端ステイプラ１０でシート束の端部を綴じる。その後、湾曲外ガイド１８１が破線で示す下方に回転する。シート束は、搬送補助ローラ５０、排出ローラ対７４によってスタックトレイ４に排出される。
【手続補正８】
【補正対象書類名】図面
【補正対象項目名】図３
【補正方法】変更
【補正の内容】
【図３】
2006027863.tif 000001
【手続補正９】
【補正対象書類名】図面
【補正対象項目名】図４
【補正方法】変更
【補正の内容】
【図４】
2006027863.tif 000002
【手続補正１０】
【補正対象書類名】図面
【補正対象項目名】図１４
【補正方法】変更
【補正の内容】
【図１４】
2006027863.tif 000003